(57)【要約】【課題】店頭に置くことができて、ウィルス等の滅菌も可能な高温加熱空間を有する小型剃刀消毒器要部のあるべき構造を明らかにする。高温放射、“火アブリ”による切れ味低下の防止、高温加熱空間内の温度分布の均一化  等のバランスが課題である。【解決手段】消毒の方法は高熱放射式とし、ホルダーで固定した剃刀を両側の加熱板で熱する。▲１▼剃刀と加熱板の取付け間隔の短縮化、▲２▼保温カバー開口部の最適面積の決定、▲３▼加熱板取付け精度の向上、▲４▼高温加熱空間の温度・剃刀温度・ウィルス滅菌速度、▲５▼目標とする消毒時間  の相互関係の究明  を行って、高温加熱空間部の構造を決定することができた。【選択図】図４
2009082672.tif 000002
【特許請求の範囲】
【請求項１】
▲１▼二枚の加熱板を  加熱面の間隔が６０ｍｍ以内になるようにフレームに取付け、
▲２▼刃を上にして垂直になるように剃刃を保持するホルダーを、▲１▼の二枚の加熱板の中央に来るように、フレームに取付け、
▲１▼、▲２▼の結果、剃刀の中心線とその外側の加熱板の加熱面の間隔を、左右両側とも、３０ｍｍ以内になるようにする、剃刀消毒器の高温加熱空間部の中心部構造
【請求項２】
寸法を以下に記述した寸法以内に押さえてなる、加熱消毒部保温カバー
保温カバー寸法        横幅１３０ｍｍ×奥行き１７０ｍｍ×高さ１２０ｍｍ
天井開口部寸法              横巾２０ｍｍ  ×  奥行き１７０ｍｍ
正面上部中央タテ開口部寸法  横巾２０ｍｍ  ×  上下長さ７０ｍｍ
【請求項３】
向かって右側に加熱部、向かって左側に制御部を設けた放射型剃刀消毒器のレイアウト
【請求項４】
加熱開始後２分以内に剃刀の温度を一旦１６０℃付近に上昇させるが、温度調節機能が働らき、その後は下限温度１００℃付近、上限温度１５０℃付近  に剃刀の温度を保つ自動温度調節回路  を有する、放射型剃刀消毒器を用いて、２分間以上５分間以内の間、加熱する、剃刀の消毒法
【発明の詳細な説明】
【技術分野】
【０００１】本発明は放射型剃刀消毒器の高温加熱空間部の構造に関するものである。
【背景技術】１．厚生労働省が提示する剃刀消毒技術【０００２】厚生労働省による理・美容器具特にカミソリ消毒についての指導・統制は、理、美容師法において、一客毎に消毒することとされてはいるが、提案されている消毒の方法が店頭で短時間、簡単、正確、小規模で実施できるものでないため、現実には消毒しない剃刀を繰り返し使用するので、ＨＩＶ，ＨＢＶの感染は野放しであり、これらの難病患者は理・美容店経由で罹病し、年々著増している  と推定される。
注射針の方は  ５０年前から  使い捨て方式が  キチンと実行されている。
法令や理・美容組合連合会の提言等では、器具の消毒方法に関し、清水・流水で丹念に洗浄する。▲１▼５６℃以上で３０分以上、又は、▲２▼５分間以上煮沸する。  ２．５％以上のエタノールで１０分間以上浸す。８０％前後のエタノールを十分含ませた脱脂綿等でふく。クレゾール水、石炭酸水云々とあるが、客には  実行の現場を確認できない。
▲３▼２０分以上１００℃で乾熱消毒や、紫外線（１００マイクロワット／平方ｃｍ以上）で１００分間以上照射も、“一客毎に消毒するにはハサミ作業の１０〜１５分の間に  平行してすべての消毒工程を  完了させるを要す”事情を考えれば、拘束時間が長くて実行できない。
▲４▼１０分間以上蒸気消毒、▲５▼沸騰水で１０分以上煮沸、等湿熱系の方策は  狭い店頭には設備ができない。これら現行の消毒原理と  現存の設備・器具では  消毒は実施困難である。
××液の類は品質・濃度を理容店がゴマカスおそれもある。××℃、××分についても客には確認できないモノが多い。また、子供にも理容師の消毒実行が理解・確認できる方式が必要であるが、ない  というべきであろう。
２．現在の背景技術の要約【０００３】以上を要約すると、現行では  店頭で一客毎に消毒できる消毒器はないし、剃刀の消毒も実行されてない。
当局より提案されている加熱による消毒法（マル数字をつけたもの）は  ▲１▼３０分以上５６℃以上で煮沸、▲２▼５分間以上煮沸する、▲３▼２０分以上１００℃で乾熱消毒、▲４▼１０分間以上蒸気消毒する、▲５▼沸騰水で１０分以上煮沸  である。
これら方法による消毒温度（消毒時間）はそれぞれ、
▲１▼５６℃〜１００℃（３０分）、▲２▼１００℃（５分間）、▲３▼１００℃（２０分）、▲４▼１８０℃（１０分）、▲５▼１００℃（１０分間）
となっていて、１００℃で１０分以上、水中で加熱  ということが  現行の消毒器に関する背景技術の共通した常識であろう。
３．新規開発技術の必要性とその候補【０００４】ところが、最近、料金の安い理髪店が増えて、これらに共通した点は、ハサミ時間の短縮で、ハサミ作業の裏でキチンと消毒するためには  消毒時間を１０分以内に短縮する必要が出てきた。このため、殺菌能力を高めて消毒時間を減らす、性能の強化が要請されてきた。
性能の強化のために、本発明者は  “１００℃、１０分以上、水”の常識を捨てて、新しく“１５０℃、１０分以内、水ナシ”で殻を持つウィルスを滅菌する可能性に挑戦した。
このために、これまで本発明者が想定していたレベルの放射型剃刀消毒器  に加えて  ▲１▼熱源の高温・大エネルギー化、▲２▼刃物と熱源の設置間隔の縮小、▲３▼刃物加熱上限の高温化  の対策を  新規開発技術候補として新しく追加検討し、検討結果の評価は  実際に滅菌ができたかどうかで行い、滅菌に貢献した構想を新規技術として消毒器に応用することにした。
４．冶金学の知見より見た  火アブリと切れ味の関係【０００５】１５０℃滅菌に着手する手始めとして、刃物に対する生活規範と加熱限度について  述べる。古来、ナベ、カマを火に掛ける  ことはあったが、包丁や刃物を火でアブルということは生活の場で厳しく禁止されてきた。これは、せっかく“ヤキ”を入れた刃が“ナマクラ”になって、切れなくなるからである。
この生活規範が“剃刀を火でアブル消毒器”即ち放射型剃刀消毒器の実現を遅らせてきたものと思われる。
実は、剃刀の刃の材料は  焼き入れの後で、強靭性を増すための“焼き戻し”をして、出荷されている。焼き戻しとは  ２００℃以下の温度で約１時間くらい  剃刀を再加熱することである。
新品の剃刀を  １５０℃くらいの温度で１０分間程度再加熱しても、刃先（ＨＶ硬度換算７６０度相当）はヒゲ（ＨＶ硬度換算１２０度相当）を切断するだけの硬さを持っている。
更に、“１０分間の再加熱”を繰り返しても  剃刀の硬度（切れ味）は殆どかわりない  とも言われている。
注  焼き入れ  温度  ８００℃    ＨＲＣ硬さ  ６７度
焼戻し          ２００℃                ６１度
１５０℃                ６２．５度（ＨＶ硬度  ７６０度相当）
ヒゲの硬さ    ＨＳ２０度（ＨＶ硬度  １２０度相当）
さて、加熱板のニクロム線が赤熱する高温加熱空間に刃物を突っ込んでアブル  といっても、剃刀を高温加熱空間に放置したままでは  剃刀の温度は加熱板の温度に向かって限りなく上昇し、数時間のうちに“焼き”は“ナマクラ”に戻ってしまうので、放射型剃刀消毒器の加熱部には温度調節機能を併設して  剃刀の温度を１５０℃以下で、加熱時間も１０分以下で、できるだけ短縮するように努力しなければ、切れ味の低下を防止できない。
文献は主として、“不二越熱処理研究グループ箸  知りたい熱処理”に頼った。
５．剃刀の高温加熱後の切れ味チェック【０００６】本発明者が、実際に放射型剃刀消毒器を作って剃刀を加熱し、温度測定、切れ味チェックをした結果は、
（イ）  加熱板は８００℃から１０００℃の高熱を放射する。
（ロ）  ホルダーを介して加熱板の間に近接して置いた剃刀は、加熱開始２分後には１６０℃くらいに温度上昇するものの、ここで温度調節機能が働き、剃刀の温度は急落し、３分後からは１２０℃〜１４０℃に落ち、以後はこの温度レベルを  安定して保つことができた。
（添付の「強力剃刀消毒器によるヒト免疫不全ウィルス（ＨＩＶ）の不活性化効果の検討」２ページの  図１  強力剃刀消毒器の加熱性能  グラフ  をご参照）
（ハ）  本発明者は後に“剃刀の１０分間の再加熱”を繰返し１０回実行し、各回毎に自分のヒゲで切れ味を、試した。
その結果は、新品の剃刀と比べて、特に著しい切れ味の劣化はなかった。
被加熱体を剃刀に限れば、切れ味を落すことのない、小型で強力な放射型剃刀消毒器の製作が可能との見通しを得た。
６．放射加熱でウィルスが死滅するか【０００７】６．１  放射加熱によるウィルス破壊の原理
細菌、ウィルス等（以後ウィルス等と呼ぶ）の中心部は遺伝子の鎖（ＤＮＡ，ＲＮＡなど。材質はタンパク質）でできている。タンパク質は約６０℃以上の温度で固まる。
固まったタンパク質（変性タンパク質）は、元の生きた状態には戻らない。
ウィルス等には、エイズウィルス（ＨＩＶ）のように比較的、熱に弱いものから、Ｂ型肝炎ウィルス（ＨＢＶ）のように、遺伝子が格納されている中心部が二重の殻で防護された、熱に強いものまでいろいろあるが、中心部を６０℃以上に加熱すればすべてのウィルス等は死滅する。
放射加熱は、実は剃刀を加熱することが主目的ではなくて、剃刀の表面に付着しているウィルスの表側に、剃刀より一足先に  １０００℃に近い高温の熱を放射し、ウィルス殻の中に熱を吸収・蓄積させて、殻の中のタンパク質を変質（＝遺伝子を破壊）、滅菌することを狙っている。
また、剃刀の温度が１３０℃になったときには、剃刀の表に付着しているウィルスの裏側から剃刀の１３０℃の熱を伝導し、ウィルス殻の中に熱を蓄積させて、殻の中のタンパク質（遺伝子）を破壊させることを従目的としている。【０００８】６．２  放射された熱エネルギーの行方
放射された熱エネルギーは放射の対象物によって  ▲１▼その物体に吸収される  ▲２▼その物体から反射されてそれて行く  ▲３▼その物体を透過して行く  の３通りに分かれる。
刃面にＨＩＶが付着した剃刀を  ２枚の高温の加熱板の間に保持して、加熱すると、
剃刀は  刃面がピカピカだから、反射される熱エネルギーも多いが  剃刀内部に吸収・蓄積される熱エネルギーも多く、剃刀温度は１〜２分で約１６０℃に上昇させることができる。刃面上のＨＩＶウィルスは  表面がデコボコであり、不透明であると仮定すれば、反射される熱エネルギーが少ない分だけ、剃刀よりもウイルス中心部に熱エネルギーを吸収・蓄積する度合は高い。日当たりはあるが気温は低い日に、木製の窓枠に取り付けられた金属製のレールに触ると  意外と熱いことがある。これは太陽（高温の熱源）の熱エネルギーがレールに蓄積されたからで、気温の熱がレールに伝わったものではない。
放射加熱による滅菌工程を実施すると、剃刀とウィルスでは  比較にならないほど質量が異なるので、ウィルスの核の中心部温度は当然  剃刀の温度より高くなっているか、少なくとも、ウィルス中心部のタンパク質が変質・破壊される温度（６０℃）にはなっていよう。
１０００℃に近い高温の放射を２〜３分に止めず、５〜１０分も続ければ  熱に強いウィルスでも、確実に死滅させることができよう。
この考えを一歩進めて、剃刀が１６０℃になった時点で生き残れるウィルスがいるだろうか、という点から検証を行えば、加熱時間の一層の短縮が可能になると思われる。
伝導熱の側から言えば、熱源に水が絡めば、沸騰点の１００℃とか、蒸気の１８０℃の壁が足を引っ張って、高い熱源が得られず、伝導熱は下がらざるをえない。水を使わず、剃刀だけを高温加熱板の直近で加熱する、放射型剃刀消毒方式とすること  はこの点からも  ウィルスを破壊できる滅菌方式  の実現に益するものであろう。
６．３  この放射型剃刀消毒器でウィルスの滅菌ができたか。【０００９】次に  殻を持つウィルスを滅菌できたかどうかの評価であるが、山梨医大微生物教室、中島助教授  にお願いして、この消毒器（強力剃刀消毒器）を使用して、ＨＩＶウィルスの感染力価を測定していただいた。その結果、ごく短時間の加熱（１分、但し、担当された中島助教授  は５分間加熱維持せよと御推奨）で検出限界以下となった。
（本消毒原理に基づく強力剃刀消毒器による、ＨＩＶウィルスの滅菌テスト結果については、添付の「強力剃刀消毒器によるヒト免疫不全ウィルス（ＨＩＶ）の不活性化効果の検討」をご参照）。
水と無関係な消毒器であれば、赤熱した高温の熱源を  近距離から直接、剃刀に放射してこれを熱すれば、ごく短時間でウィルスは死滅し、切れ味は落ちない  ことが証明された。
“剃刀温度１５０℃、１０分以内、水ナシで  殻を持つウィルスを滅菌する”目標に対して、“（温度調節機能の調整の関係で、安定１５０℃は確認できなかったが）剃刀温度安定１３０℃、５分、水ナシで  殻を持つウィルスが滅菌できる”という実験結果を得た。
この実験結果で、１分の放射で検出限界以下の結果がでている、と言うことは、５分の放射で、大方のウィルスに対して検出限界以下という結果も出る可能性を示すものである。
“１０分以上消毒”が“５分以内滅菌”になれば、難病の流行防圧に効果があろう。
【発明の開示】
【発明が解決しようとする課題】
【００１０】課題１  消毒器は店頭に置くことができる寸法であること。店頭に置けない寸法であれば、“剃刀の一客毎消毒”は根底から成立しない。
課題２  そのために、水の使用に付随するムダを排除すること
水は１００℃以上に温度上昇することを妨げる
水を取扱う部品・装置がつけば消毒器がそれだけ大きくなる
水を取扱う手間が理容師の作業時間を長くする
課題３  消毒器は  放射でウィルス殻の中のタンパク質を破壊できる、高温加熱空間を有すること。なお、これまで  加熱板や剃刀ホルダーを  加熱部の保温カバーに直接取り付けていて、強度上、精度上難点があり、剃刀の加熱品質が制約されていた。
課題４  消毒器は  １２０℃の剃刀からの伝導熱でも  ウィルス殻の中のタンパク質を破壊できるよう、消毒開始から２〜３分で、剃刀本体の温度を１２０℃程度に上昇させ、以後その温度レベルを安定的に保持できること。
課題５  客の側から“自分のための消毒が間違いなく実行された”ことが確認できる仕組みを消毒器に設けること。
課題６  高温加熱空間の温度分布の極端な偏在を緩和・均等化すること。
高温加熱空間の一部エリア（天井、入口等の開口部、奥）での温度不足改善対策加熱板取付け位置の精度不良、強度不足の解消
【課題を解決するための手段】
【００１１】手段１  先ず、剃刀の寸法を市販品のままとして、放射型剃刀消毒器要部寸法を確定した。
消毒器用には小型部品を優先選定し、制御盤を中心にスペースのムダ排除を実行したため、放射型剃刀消毒器外形寸法の小型化が可能となった。
手段２  水関係の仕組みをなくし、その結果、放射型剃刀消毒器の外形寸法を巾３００ｍｍ×奥行き１７０ｍｍ×高さ２２２ｍｍとすることができた。【００１２】手段３  加熱板取付け間隔の短縮化、
図４に示す如く、加熱消毒部の中心の骨格として、新たにフレーム２０を追加した。
▲１▼２枚の加熱板３と３を  加熱面の間隔が３０ｍｍの巾で平行になるように、フレーム２０に取付け、
▲２▼刃を上にして垂直になるように剃刀を保持するホルダー１８，１９，１８を、▲１▼の２枚の加熱板の中央に来るように、フレーム２０に取付け、
▲１▼、▲２▼の結果、剃刀の中心線とその外側の加熱板３の加熱面の間隔を、左右両側とも１５ｍｍ以内になるように押さえた、高温加熱空間部を完成した。
この結果、ホルダーに挿入された剃刀は、至近距離から  ８００℃〜１０００℃の高温を放射されて、短時間で加熱、滅菌される、高温加熱空間が生まれた。
フレームの採用により、加熱板取付け位置の精度不良、強度不足の問題は解消した。
図１に示す如く、加熱板は  マイカ板３に  ニッケルクロム鋼のリボン４を巻きつけたもの（５０Ｖ、２００Ｗ）を二枚（合計４００Ｗ）、直列に繋いだものである。
このタイプは加熱板の厚さを比較的薄く作ることが出来る。
更に、図４に示す如く、二枚の加熱板３と３の外側には  １５ｍｍ隔てて、それぞれに各１枚の熱反射板２７と２７を取付けて、エネルギーロスを押さえた。
注  手段３の補足
高温加熱空間は  加熱板と剃刀の位置・寸法の関係だけでベストのものが決まる訳ではない。
加熱部の保温カバー１５の開口部１６の面積も  高温加熱空間の形成に関係する重要因子の一つである。
加熱板は今回実験した、（マイカ板＋ニッケルクロム鋼のリボン巻きつけ方式）以外の物が種々あり、将来の設計上の自由度を確保する意味で、それらを含めて高温加熱空間の  他種の加熱板と剃刀の位置・寸法の関係の上限を  次のように定義する。
石英管に発熱線を入れた石英管発熱管を数本組み合わせた石英管加熱ユニットや、発熱線に保護管をかぶせたタイプの発熱管を数本組み合わせた加熱ユニットは、マイカ板加熱板よりも加熱板としての厚さが厚い。これをマイカ板加熱板の代りに使用する際などでも、加熱時間の制限等の理由から、二枚の加熱板の加熱面の間隔を６０ｍｍ以内に押さえ、その中央に設置したホルダーで剃刀を刃を上にして垂直になるように保持し、剃刀の中心線とその外側の加熱板の間隔を、両側とも、３０ｍｍ以内に押さえた、高温加熱空間にすることが必要である。
手段４  項目［０００５］後尾の目標に合わせるべく、剃刀本体の温度が１２０℃〜１５０℃に上昇した後は  剃刀本体の温度をその温度域に保持する、自動温度調節回路を組み込んだところ、［０００６］の（ロ）の如く、加熱開始２分後には１６０℃くらいに温度上昇した後、温度調節機能が働き、剃刀の温度は急落し、３分後からは１２０℃〜１４０℃に安定して保つことができる機能  を持たせることができた。
手段５  客の側から“自分のための消毒が間違いなく為された”ことが確認できる仕組みは次の通りである。
剃刀をホルダーに挿入して、図３に示す、押しボタンスイッチ（赤）１２を押すと、ブザーが鳴り、ネオン灯（赤）１１が点灯し、加熱板とタイマーが起動される。
予め入力されていた加熱時間が来ると加熱板の送電回路が開き、ブザーが鳴り、ネオン灯（緑）１０が点灯し、ネオン灯（赤）１１は消灯し、同時に冷却ファン２２が回り出す。予め入力されていた冷却時間が来ると冷却ファンへの送電回路が開き、ブザーが鳴って、冷却ファンは止まり、ネオン灯（緑）１０は消灯する。
押しボタンスイッチ（黒）９は非常停止用である。【００１３】手段６  加熱消毒部保温カバーの開口部面積の絞り込み
剃刀１７を加熱消毒のためにホルダー１８，１９、１８に差し込み、消毒完了後はホルダーから取り出すための、開口部１６の面積が広すぎて、高温加熱空間の温度がなかなか上がらなかったので、試行錯誤を重ねて、次のように絞り込んだ。
加熱消毒部保温カバー１５の寸法
横幅１０４×奥行き１５７×高さ１１３ｍｍ  の箱状のもの
同上の開口部１６の寸法（絞り込み後）
天井に前正面中央部から後面まで  横幅２０ｍｍ×奥行き１５７ｍｍの帯状の開口部を設け、続けてカバー正面の上端中央部から下方へ横幅２０ｍｍ×上下の長さ６０ｍｍの矩形の開口部を設けた。
注、加熱消毒部保温カバーの寸法は  採用される加熱板によって異なる場合がありうる  が、剃刀の寸法は今後ともあまり変わらないと思われる。保温カバーの開口部の横巾は極力狭く押さえるべきで、横幅２０ｍｍを守るべきであろう。
【発明の効果】
【００１４】本消毒原理に基づく強力剃刀消毒器による、ＨＩＶウィルスの滅菌テスト結果によれば、ＨＩＶウィルスの感染力価の測定では、ごく短時間の加熱（１分、但し、担当された山梨医大微生物教室、中島助教授  は５分間加熱維持せよと御推奨）で検出限界以下となった。この事実より、発明者の欲目では、ＨＩＶウィルスがＨＢＶウィルスになっても、剃刀が１２０℃に熱される間には  当然  剃刀に付着している、剃刀よりも各段に微細なウィルスも１２０℃に熱されるはずで、本放射型剃刀消毒器は  強力な滅菌力を発揮しよう。
【発明を実施するための最良の形態】
【００１５】本消毒器の最重要技術ポイントは  加熱板と剃刀の間隔、高温加熱空間の諸問題であろう。
二枚の加熱板の加熱面の間隔を６０ｍｍ以内に押さえ、その中央で剃刀を刃を上にして垂直にホルダーで保持し、剃刀の中心線とその外側の加熱板の加熱面の間隔を、左右両側とも３０ｍｍ以内になるようにする、高温加熱空間の構造は  加熱効果が高い、と考える。
また、加熱消毒部保温カバー寸法  と  剃刀挿入・取出しのための開口部寸法  は以下に記す寸法以下に決定することが望ましい。
保温カバー寸法    横幅１３０ｍｍ×奥行き１７０ｍｍ×高さ１２０ｍｍ
天井開口部寸法                巾２０ｍｍ  ×  奥行き１７０ｍｍ
正面上部中央タテ開口部寸法    巾２０ｍｍ  ×  上下長さ７０ｍｍ
【実施例】
【００１６】製作した放射型剃刀消毒器の概要は次の通りである。
１  機能部分の配置
台盤７上の向かって左側に制御盤、ブザー・確認灯ユニットを格納した筐体８、右側に下に空気供給孔１４、端子台２５、温度スイッチ２６、冷却ファン２２，２３、耐熱仕切り板２１  を有するファン筐体１３、その上に剃刀加熱消毒部を覆う  保温カバー１５を配置してある。
剃刀加熱消毒部を本消毒器の向かって右に配置したのは、“右きき”の人が  剃刀を加熱部のホルダーに装着したり、取り外したり  しやすいように考えてのことである。
制御盤、温度調節ユニット、ブザー警報ユニットの内容説明は割愛する。
２  加熱消毒部の構成
店頭一客毎消毒を実現する“鍵”、つまり、小型化・放射型加熱消毒を実現した、加熱消毒部の構成は次の通りである（図４ご参照）。
▲１▼加熱板３  一対、  ▲２▼  （加熱板の外側の）熱反射板２７  一対、  ▲３▼剃刀ホルダー１８，１９，１８、  ▲４▼フレーム２０、  ▲５▼  保温カバー１５、
なお、加熱消毒部の高温加熱空間に関する寸法短縮の実施例は、［課題を解決するための手段］の［００１１］の項の手段３  に記述しているので、ご参照下さい。
この放射型剃刀消毒器は  （財）日本電気用品試験所において種々のテストの後、平成６年１１月１日、型式認可番号  第８１−２２２３３号  甲種電気用品（電気消毒器）として、通産大臣の型式認可を取得している。（なお、本特許願は実経験にもとづく高熱加熱空間の寸法短縮の限度を公開して権利化を目指すものである。日本電気用品試験所でのテスト機に対するご指摘は、端子台上の絶縁距離、制御基盤上の絶縁距離についていずれも寸法の延長方の実行を迫られたものである。つまり、高熱加熱空間に関する寸法短縮の限度ノウハウの公開は  本特許願が初めてである  ことを申し添える。）
本特許願では  通常の説明場面では  放射型剃刀消毒器  と称しているが、外部の文書との関係で  強力剃刀消毒器と称している場合もある。どちらも  同じものである。
【産業上の利用可能性】
【００１７】ＨＩＶには効果を確認ずみだが、Ｂ型肝炎、Ｃ型肝炎  等への応用も可能であろう。
なお、殻を持つ色々なウィルスの滅菌条件の解明が進めば、加熱条件（温度、時間）の緩和も進み、ごく近い将来、放射型剃刀消毒器を用いて、２分間以上５分間以内の間、加熱する、剃刀の消毒法も実現しよう。
【図面の簡単な説明】
【００１８】      図１    平面図
図２    断面図
図３    斜視図
図４    断面図
【符号の説明】
１    マイカ板組立て金具（上側）
２    マイカ板取付け穴（上側）
３    マイカ板
４    ニクロム線リボン
５    マイカ板組立て金具（下側）
６    マイカ板取付け穴（下側）
７    台盤
８    制御盤、押しボタン、確認灯系の筐体
９    黒色押しボタンスイッチ（非常停止用）
１０    緑色確認灯（冷却中の表示）
１１    赤色確認灯（加熱中表示）
１２    赤色押しボタンスイッチ（加熱開始・加熱完了後自動的に冷却開始）
１３    フアン筐体
１４    空気供給孔
１５    保温カバー
１６    保温カバー開口部
１７    剃刀
１８    剃刀ホルダー
１９    剃刀ホルダー底板
２０    フレーム
２１    （フアン要部保護用）耐熱仕切り板
２２    フアン
２３    フアン駆動用モーター
２４    フアン取付け用板
２５    端子台
２６    温度スイッチ
２７    熱反射板
【図１】
2009082672.tif 000003
【図２】
2009082672.tif 000004
【図３】
2009082672.tif 000005
【図４】
2009082672.tif 000006
【手続補正書】
【提出日】平成20年5月1日(2008.5.1)
【手続補正１】
【補正対象書類名】特許請求の範囲
【補正対象項目名】請求項２
【補正方法】変更
【補正の内容】
【請求項２】
寸法を以下に記述した寸法以内に押さえてなる、剃刀消毒器の加熱消毒部保温カバー
保温カバー寸法        横幅１４５ｍｍ×奥行き１７０ｍｍ×高さ１２０ｍｍ
天井開口部寸法              横巾４０ｍｍ  ×  奥行き１７０ｍｍ
正面上部中央タテ開口部寸法  横巾４０ｍｍ  ×  上下長さ７０ｍｍ
【手続補正２】
【補正対象書類名】明細書
【補正対象項目名】００１３
【補正方法】変更
【補正の内容】
【００１３】手段６  加熱消毒部保温カバーの開口部面積の絞り込み
剃刀１７を加熱消毒のためにホルダー１８，１９、１８に差し込み、消毒完了後はホルダーから取り出すための、開口部１６の面積が広すぎて、高温加熱空間の温度がなかなか上がらなかったので、試行錯誤を重ねて、次のように絞り込んだ。
加熱消毒部保温カバー１５の寸法
横幅１０４×奥行き１５７×高さ１１３ｍｍ  の箱状のもの
同上の開口部１６の寸法（絞り込み後）
天井に前正面中央部から後面まで  横幅２０ｍｍ×奥行き１５７ｍｍの帯状の開口部を設け、続けてカバー正面の上端中央部から下方へ横幅２０ｍｍ×上下の長さ６０ｍｍの矩形の開口部を設けた。
注、加熱消毒部保温カバーの寸法は  採用される加熱板によって異なる場合がありうる。
［００１２］注、手段３の補足  の項で述べた如く、加熱板の仕様を変更する際には、保温カバーの横幅寸法を１４５ｍｍ、保温カバー開口部横幅寸法を４０ｍｍ程度にまで  拡幅する必要があろう。
しかし、剃刀の寸法は今後ともあまり変わらないと思われるので、本器を店頭設置するためにも、保温カバーの奥行寸法の延長は、避けたい。
【手続補正３】
【補正対象書類名】明細書
【補正対象項目名】００１７
【補正方法】変更
【補正の内容】
【００１７】ＨＩＶには効果を確認ずみだが、Ｂ型肝炎、Ｃ型肝炎  等への応用も可能であろう。
なお、殻を持つ色々なウィルスの滅菌条件の解明が進めば、加熱条件（温度、時間）の緩和も進み、ごく近い将来、放射型剃刀消毒器を用いて、２分間以上５分間以内の間、加熱する、剃刀の消毒法も実現しよう。
本器は  我が国の保健衛生政策の実現を保障するものである。
現在、世界中  何処を探しても  ＨＩＶ、ＨＢＶ、ＨＣＶ  等に確実に対応できる剃刀消毒器、消毒方法  はない。
本器を  店頭に１台置いて、工場現場でいう“１ケ流し”の生産管理の要領で、剃刀の消毒と散髪の工程を同期化させれば、汚染された剃刀で散髪作業を行うことは根絶する。
難病感染の疑心暗鬼で  客とのトゲトゲしい  感情が払しょくされれば、理容師は胸を張って  日本本来の“職人”に戻り、分を守った“温かい親方”に戻る  であろう。
それを見て育った  近所の少年達は  外圧に右往左往することのない  強い産業国家を再建してくれる  であろう。
【手続補正書】
【提出日】平成20年5月9日(2008.5.9)
【手続補正１】
【補正対象書類名】明細書
【補正対象項目名】０００５
【補正方法】変更
【補正の内容】
【０００５】１５０℃滅菌に着手する手始めとして、刃物に対する生活規範と加熱限度について  述べる。
古来、ナベ、カマを火に掛ける  ことはあったが、包丁や刃物を火でアブルということは生活の場で厳しく禁止されてきた。これは、せっかく“ヤキ”を入れた刃が“ナマクラ”になって、切れなくなるからである。
この生活規範が“剃刀を火でアブル消毒器”即ち放射型剃刀消毒器の実現を遅らせてきたものと思われる。
実は、剃刀の刃の材料は  焼き入れの後で、強靭性を増すための“焼き戻し”をして、出荷されている。焼き戻しとは  ２００℃以下の温度で約１時間くらい  剃刀を再加熱することである。
新品の剃刀を  １５０℃くらいの温度で１０分間程度再加熱しても、刃先（ＨＶ硬度換算７６０度相当）はヒゲ（ＨＶ硬度換算１２０度相当）を切断するだけの硬さを持っている。
更に、“１０分間の再加熱”を繰り返しても  剃刀の硬度（切れ味）は殆どかわりない  とも言われている。
注  焼き入れ  温度  ８００℃  ＨＲＣ硬さ  ６７度
焼戻し          ２００℃              ６１度
１５０℃              ６２．５度（ＨＶ硬度  ７６０度相当）
ヒゲの硬さ    ＨＳ２０度（ＨＶ硬度  １２０度相当）
さて、加熱板のニクロム線が赤熱する高温加熱空間に刃物を突っ込んでアブル  といっても、剃刀を高温加熱空間に放置したままでは  剃刀の温度は加熱板の温度に向かって限りなく上昇し、数時間のうちに“焼き”は“ナマクラ”に戻ってしまうので、放射型剃刀消毒器の加熱部には温度調節機能を併設して、剃刀の温度を１５０℃以下で、加熱時間も１０分以下で、できるだけ短縮するように努力しなければ、切れ味の低下を防止できない。文献は主として、“不二越熱処理研究グループ著  知りたい熱処理”に頼った。
５．剃刀の高温加熱後の切れ味チエック
【手続補正２】
【補正対象書類名】明細書
【補正対象項目名】００１５
【補正方法】変更
【補正の内容】
【００１５】本消毒器の最重要技術ポイントは  加熱板と剃刀の間隔、高温加熱空間の諸問題であろう。二枚の加熱板の加熱面の間隔を６０ｍｍ以内に押さえ、その中央で剃刀を刃を上にして垂直にホルダーで保持し、剃刀の中心線とその外側の加熱板の加熱面の間隔を、左右両側とも３０ｍｍ以内になるようにする、高温加熱空間の構造  は加熱効果が高い、と考える。また、加熱消毒部保温カバー寸法  と  剃刀挿入・取出しのための開口部寸法  は以下に記す寸法以下に決定することが望ましい。
保温カバー寸法        横幅１４５ｍｍ×奥行き１７０ｍｍ×高さ１２０ｍｍ
天井開口部寸法              横巾４０ｍｍ  ×  奥行き１７０ｍｍ
正面上部中央タテ開口部寸法  横巾４０ｍｍ  ×  上下長さ７０ｍｍ